【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
ビデオデータを圧縮符号化して記録媒体に記録し、記録媒体に記録された圧縮符号化されたビデオデータを再生して復号する記録再生装置において、
少なくとも１枚の独立的に復号が可能なピクチャを含む複数枚のピクチャからなるグループを単位とし、予測符号化によるフレーム間圧縮を用いてビデオデータを圧縮符号化する符号化部と、
上記符号化部で圧縮符号化されたビデオデータを記録媒体に記録する記録部と、
上記記録媒体から圧縮符号化されたビデオデータを読み出して復号する再生部と、
上記ビデオデータに対して上記グループ単位のアクセス位置を示すマーク情報を生成するマーク情報生成部と
を有し、
上記マーク情報生成部は、
再生順で直前のグループの情報を用いずに復号可能なグループに対して上記アクセス位置を指定するときには、該グループの先頭の位置を示す上記マーク情報を生成する
ことを特徴とする記録再生装置。
【請求項２】
請求項１に記載の記録再生装置において、
上記マーク情報生成部は、
記録開始時に生成される上記グループの先頭の位置を示す上記マーク情報を自動的に生成する
ことを特徴とする記録再生装置。
【請求項３】
請求項１に記載の記録再生装置において、
上記マーク情報生成部は、
再生順で直前のグループの情報を用いて復号を行うグループに対して上記アクセス位置を指定するときには、該グループに属する上記独立的に復号が可能なピクチャの位置を示す上記マーク情報を生成する
ことを特徴とする記録再生装置。
【請求項４】
請求項１に記載の記録再生装置において、
ユーザの操作を受け付け該操作に応じてアクセス位置を指定する操作部をさらに有し、
上記マーク情報生成部は、
上記操作部に対する操作により指定されたアクセス位置が記録開始位置以外の位置を示していれば該アクセス位置が含まれる上記グループに属する上記独立的に復号が可能なピクチャの位置を示す上記マーク情報を生成する
ことを特徴とする記録再生装置。
【請求項５】
請求項１に記載の記録再生装置において、
指定しようとする上記アクセス位置の含まれるグループが再生順で直前のグループの情報を用いずに復号可能なグループであるか否かを判別する判別部をさらに有し、
上記マーク情報生成部は、上記判別部による判別結果に応じて、上記グループの先頭の位置を示す上記マーク情報を生成するか、上記グループに属する上記独立的に復号が可能なピクチャの位置を示す上記マーク情報を生成するかを決定する
ことを特徴とする記録再生装置。
【請求項６】
請求項１に記載の記録再生装置において、
上記ビデオデータの再生方法を示す再生制御情報を生成する再生制御情報生成部をさらに有し、
上記マーク情報は、上記再生制御情報に格納される
ことを特徴とする記録再生装置。
【請求項７】
ビデオデータを圧縮符号化して記録媒体に記録し、記録媒体に記録された圧縮符号化されたビデオデータを再生して復号する記録再生方法において、
少なくとも１枚の独立的に復号が可能なピクチャを含む複数枚のピクチャからなるグループを単位とし、予測符号化によるフレーム間圧縮を用いてビデオデータを圧縮符号化する符号化のステップと、
上記符号化のステップにより圧縮符号化されたビデオデータを記録媒体に記録する記録のステップと、
上記記録媒体から圧縮符号化されたビデオデータを読み出して復号する再生のステップと、
上記ビデオデータに対して上記グループ単位のアクセス位置を示すマーク情報を生成するマーク情報生成のステップと
を有し、
上記マーク情報生成のステップは、
再生順で直前のグループの情報を用いずに復号可能なグループに対して上記アクセス位置を指定するときには、該グループの先頭の位置を示す上記マーク情報を生成する
ことを特徴とする記録再生方法。
【請求項８】
ビデオデータを圧縮符号化して記録媒体に記録し、記録媒体に記録された圧縮符号化されたビデオデータを再生して復号する記録再生方法をコンピュータ装置に実行させる記録再生プログラムにおいて、
上記記録再生方法は、
少なくとも１枚の独立的に復号が可能なピクチャを含む複数枚のピクチャからなるグループを単位とし、予測符号化によるフレーム間圧縮を用いてビデオデータを圧縮符号化する符号化のステップと、
上記符号化のステップにより圧縮符号化されたビデオデータを記録媒体に記録する記録のステップと、
上記記録媒体から圧縮符号化されたビデオデータを読み出して復号する再生のステップと、
上記ビデオデータに対して上記グループ単位のアクセス位置を示すマーク情報を生成するマーク情報生成のステップと
を有し、
上記マーク情報生成のステップは、
再生順で直前のグループの情報を用いずに復号可能なグループに対して上記アクセス位置を指定するときには、該グループの先頭の位置を示す上記マーク情報を生成する
ことを特徴とする記録再生プログラム。
【請求項９】
ビデオデータに対してアクセス位置を指定するマーク情報を生成する編集装置において、
少なくとも１枚の独立的に復号が可能なピクチャを含む複数枚のピクチャからなるグループを単位とし、予測符号化によるフレーム間圧縮を用いて圧縮符号化されたビデオデータを復号する復号部と、
上記ビデオデータに対して上記グループ単位のアクセス位置を示すマーク情報を生成するマーク情報生成部と、
ユーザの操作を受け付け該操作に応じて上記アクセス位置を指定する操作部と
を有し、
上記マーク情報生成部は、
上記操作部に対する操作により再生順で直前のグループの情報を用いずに復号可能なグループに対して上記アクセス位置を指定するときには、該グループの先頭の位置を示す上記マーク情報を生成し、
上記操作部に対する操作により再生順で直前のグループの情報を用いて復号を行うグループに対して上記アクセス位置を指定するときには、該グループに属する上記独立的に復号が可能なピクチャの位置を示す上記マーク情報を生成する
ことを特徴とする編集装置。
【請求項１０】
請求項９に記載の編集装置において、
指定しようとする上記アクセス位置の含まれるグループが再生順で直前のグループの情報を用いずに復号可能なグループであるか否かを判別する判別部をさらに有し、
上記マーク情報生成部は、上記判別部による判別結果に応じて、上記グループの先頭の位置を示す上記マーク情報を生成するか、上記グループに属する上記独立的に復号が可能なピクチャの位置を示す上記マーク情報を生成するかを決定する
ことを特徴とする編集装置。
【請求項１１】
請求項９に記載の編集装置において、
上記ビデオデータの再生方法を示す再生制御情報を生成する再生制御情報生成部をさらに有し、
上記マーク情報は、上記再生制御情報に格納される
ことを特徴とする編集装置。
【請求項１２】
ビデオデータに対してアクセス位置を指定するマーク情報を生成する編集方法において、
少なくとも１枚の独立的に復号が可能なピクチャを含む複数枚のピクチャからなるグループを単位とし、予測符号化によるフレーム間圧縮を用いて圧縮符号化されたビデオデータを復号する復号のステップと、
上記ビデオデータに対して上記グループ単位のアクセス位置を示すマーク情報を生成するマーク情報生成のステップと、
ユーザの操作を受け付け該操作に応じて上記アクセス位置を指定する操作のステップと
を有し、
上記マーク情報生成のステップは、
上記操作のステップに対する操作により再生順で直前のグループの情報を用いずに復号可能なグループに対して上記アクセス位置を指定するときには、該グループの先頭の位置を示す上記マーク情報を生成し、
上記操作のステップに対する操作により再生順で直前のグループの情報を用いて復号を行うグループに対して上記アクセス位置を指定するときには、該グループに属する上記独立的に復号が可能なピクチャの位置を示す上記マーク情報を生成する
ことを特徴とする編集方法。
【請求項１３】
ビデオデータに対してアクセス位置を指定するマーク情報を生成する編集方法をコンピュータ装置に実行させる編集プログラムにおいて、
上記編集方法は、
少なくとも１枚の独立的に復号が可能なピクチャを含む複数枚のピクチャからなるグループを単位とし、予測符号化によるフレーム間圧縮を用いて圧縮符号化されたビデオデータを復号する復号のステップと、
上記ビデオデータに対して上記グループ単位のアクセス位置を示すマーク情報を生成するマーク情報生成のステップと、
ユーザの操作を受け付け該操作に応じて上記アクセス位置を指定する操作のステップと
を有し、
上記マーク情報生成のステップは、
上記操作のステップに対する操作により再生順で直前のグループの情報を用いずに復号可能なグループに対して上記アクセス位置を指定するときには、該グループの先頭の位置を示す上記マーク情報を生成し、
上記操作のステップに対する操作により再生順で直前のグループの情報を用いて復号を行うグループに対して上記アクセス位置を指定するときには、該グループに属する上記独立的に復号が可能なピクチャの位置を示す上記マーク情報を生成する
ことを特徴とする編集プログラム。
【手続補正２】
【補正対象書類名】明細書
【補正対象項目名】発明の名称
【補正方法】変更
【補正の内容】
【発明の名称】記録再生装置、記録再生方法および記録再生プログラム、ならびに、編集装置、編集方法および編集プログラム
【手続補正３】
【補正対象書類名】明細書
【補正対象項目名】０００１
【補正方法】変更
【補正の内容】
【０００１】
この発明は、ＡＶ(Audio/Video)ストリームデータからなるクリップに対する編集処理を行うようにした記録再生装置、記録再生方法および記録再生プログラム、ならびに、編集装置、編集方法および編集プログラムに関する。
【手続補正４】
【補正対象書類名】明細書
【補正対象項目名】００２１
【補正方法】変更
【補正の内容】
【００２１】
したがって、この発明の目的は、ＧＯＰ構造を有したビデオデータに対して分割編集を行う際のユーザの利便性を向上させることができるような記録再生装置、記録再生方法および記録再生プログラム、ならびに、編集装置、編集方法および編集プログラムを提供することにある。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】